(57)【要約】本発明は、空気循環面が備えられた化粧品容器に関し、さらに詳細には、内部に内容物が収容される内容器と前記内容器を密閉する密閉突輪が形成された内容器蓋からなる化粧品容器において、前記内容器に第１密閉突起を内側に突出形成し、内容器蓋の密閉突輪に第２密閉突起を外側に突出形成し、前記第１密閉突起にサンディング（ｓａｎｄｉｎｇ）したように多数の微細な突起と溝からなる空気循環面を形成することで、内容器蓋の開閉時に内容器蓋の第２密閉突起が内容器の空気循環面に接触しながら第１密閉突起を乗り越えるようになって内容器蓋の開閉感度が向上することは勿論、内容器の内部空気が圧縮されながら内容器蓋が持ち上げられることを防止する空気循環面が備えられた化粧品容器に関する。
2020521614.tif 000002
【特許請求の範囲】
【請求項１】
内部に内容物が収容される内容器と前記内容器を密閉する密閉突輪が形成された内容器蓋からなる化粧品容器において、
前記内容器に第１密閉突起が形成され、前記内容器蓋の密閉突輪に第２密閉突起が形成され、
前記内容器の第１密閉突起または内容器蓋の第２密閉突起に微細な突起と溝からなる空気循環面が形成されて内容器蓋の閉鎖時に内容器内に圧縮された空気が前記空気循環面全体に均等に配分されながら抜け出て、内容器蓋の開放時に外部空気が前記空気循環面全体を通じて内容器に流入することを特徴とする空気循環面が備えられた化粧品容器。
【請求項２】
前記内容器には内壁と外壁が形成され、前記外壁の上部内周縁に第１密閉突起が形成され、前記第１密閉突起の上部内側の表面全体に空気循環面が形成されることを特徴とする、
請求項１に記載の空気循環面が備えられた化粧品容器。
【請求項３】
前記内容器の第１密閉突起の上部内周縁には第１斜線面が形成されて前記第１斜線面に空気循環面が形成されることを特徴とする、
請求項１に記載の空気循環面が備えられた化粧品容器。
【請求項４】
前記内容器蓋の第２密閉突起下部外周縁には第２斜線面が形成されて前記第２斜線面に空気循環面が形成されることを特徴とする、
請求項１に記載の空気循環面が備えられた化粧品容器。
【請求項５】
前記内容器蓋の開閉時に内容器蓋の第２密閉突起が内容器に形成された空気循環面に点接触しながら第１密閉突起を乗り越えることを特徴とする、
請求項１に記載の空気循環面が備えられた化粧品容器。
【請求項６】
前記空気循環面は化学薬品によって鋳型空間の一部が腐蝕した金型を通じて射出成形されるか、鋳型空間の一部がサンディング（ｓａｎｄｉｎｇ）処理された金型を通じて射出成形されることを特徴とする、
請求項１に記載の空気循環面が備えられた化粧品容器。
【発明の詳細な説明】
【技術分野】
【０００１】
本発明は、空気循環面が備えられた化粧品容器に関し、さらに詳細には、内部に内容物が収容される内容器と前記内容器を密閉する密閉突輪が形成された内容器蓋からなる化粧品容器において、前記内容器に第１密閉突起を内側に突出形成し、内容器蓋の密閉突輪に第２密閉突起を外側に突出形成し、前記第１密閉突起にサンディング（ｓａｎｄｉｎｇ）したように多数の微細な突起と溝からなる空気循環面を形成することで、内容器蓋の開閉時に内容器蓋の第２密閉突起が内容器の空気循環面に接触しながら第１密閉突起を乗り越えるようになって内容器蓋の開閉感度が向上することは勿論、内容器の内部空気が圧縮されながら内容器蓋が持ち上げられることを防止する空気循環面が備えられた化粧品容器に関する。
【背景技術】
【０００２】
現代社会は持続的に発展しながら多様化、多角化しており、このような社会の変化に伴い老若男女を問わず本人の個性、趣向及び目的に応じて適切な化粧品を愛用している。
【０００３】
特に、このような化粧品は肌を健康かつ清潔に維持させることは勿論、化粧品に色を付与することで使用者各々の個性をより一層好適に表現して美しさを添えるのに大きく役立っており、これにより多様な色調化粧品が広く使用されている。
【０００４】
上記の色調化粧品は、基礎化粧を施した後に顔をより一層美しくするために使用されるが、顔の部位に応じてそれに適する化粧を可能にするべくその種類が多様であり、使用者の肌の色または着用する服のデザイン及び色、外出場所に応じてそれに似合う色を選択して使用される。
【０００５】
このような色調化粧品は、主にコンパクト容器に収容されて使用されるが、前記コンパクト容器は含浸部材またはゲル状の色調化粧品内容物を収納保管し、使用時に外部蓋を容器本体から開け、パフやブラシなどの化粧道具を利用して化粧品内容物をつけて顔を化粧しながら使用される。
【０００６】
しかし、前記色調化粧品のうちファンデーションは揮発性溶媒と水分を多量に含んでおり、色調化粧品を収容する内部容器の密閉力が低下する場合、揮発性溶媒と水分が大気中に蒸発し、これによりファンデーションが固まりファンデーション本来の機能が喪失するようになる問題があるため、ファンデーションの揮発性溶媒と水分の蒸発を遮断するための方法が必要となった。
【０００７】
そこで、前記ファンデーションに含まれた水分の蒸発と揮発成分の揮発を防止することを目的として、内容器を開閉する内容器蓋をさらに結合してコンパクト容器の気密性を確保したが、内容器を密閉させるために内容器蓋を閉じる場合、内容器内部の空気が圧縮されて内容器蓋が内容器に完全に密着することができず、持ち上げられるようになり前記内容器の密閉力が低下する問題点があった。
【０００８】
上記の問題点を解決するために、特許文献１でリフィル容器の空気排出構造を有する化粧品ケースが開示された。
【０００９】
上記従来の化粧品ケースは、図１のように、リフィル容器を開閉する第２カバーに第１空気排出孔が備えられた着座孔を形成し、前記着座孔に圧縮された空気を外部に排出するバルブ体を設置し、前記バルブ体にテンション板と突出膜及び第２空気排出孔を形成してリフィル容器を密閉する第２カバーの閉操作が円滑に行なわれるようにすることを特徴とする。
【００１０】
しかし、上記従来技術は第２カバーにテンション板と突出膜及び第２空気排出孔が形成されたバルブ体が設置されなければならないため、化粧品ケースの構造が複雑になり、組立工程が増えて生産性が低下し、これにより生産原価が上昇する問題点があった。
【００１１】
上記の問題点を解決するために、特許文献２で気密化粧品容器が開示された。
【００１２】
上記従来の気密化粧品容器は、図２のように、容器本体と前記容器本体の内部に結合される内部容器及び前記内部容器を密閉する密閉リブが備えられた内部カバーからなり、前記内部容器が化粧品収納容器とパッキングケースから構成され、前記パッキングケースの外側弾性片内周面にエア抜け溝が形成されて化粧品収納容器を閉じる時、前記化粧品収納容器の内部に圧縮された空気が前記エア抜け溝を通じて排出される構造である。
【００１３】
しかし、上記従来技術は内部カバーの開閉時に、前記内部カバーの密閉リブがパッキングケースの内、外側湾曲突部と面接触しながら内、外側に強く押して挿入されるか外れるため、内部カバーの開閉感度が低下する問題点があった。
【００１４】
また、上記従来技術はパッキングケースの外側弾性片に形成された外側湾曲突部に部分的にエア抜け溝が形成されているため、内部カバーの開閉時に空気がパッキングケースのエア抜け溝に集中しながら流入するか抜け出るようになり、これによりむしろ化粧品収納容器内の化粧品に含有された揮発成分と水分が前記エア抜け溝を通じて噴き出す問題点が発生して化粧品収納容器の密閉に深刻な障害を招いた。
【先行技術文献】
【特許文献】
【００１５】
【特許文献１】韓国登録実用新案第２０−０３１６０５６号公報
【特許文献２】韓国登録特許第１０−１３７８５２１号公報
【発明の概要】
【発明が解決しようとする課題】
【００１６】
本発明は、上記の問題点を解決するために案出されたものであり、内部に内容物が収容される内容器と前記内容器を密閉する密閉突輪が形成された内容器蓋からなる化粧品容器において、前記内容器に第１密閉突起を内側に突出形成し、内容器蓋の密閉突輪に第２密閉突起を外側に突出形成し、前記第１密閉突起にサンディング（ｓａｎｄｉｎｇ）したように多数の微細な突起と溝からなる空気循環面を形成することで、内容器蓋の開閉時に内容器蓋の第２密閉突起が内容器の空気循環面に接触しながら第１密閉突起を乗り越えるようになって内容器蓋の開閉感度が向上するようにした空気循環面が備えられた化粧品容器を提供することに目的がある。
【００１７】
また、内容器の外壁上部内周縁に第１密閉突輪を形成し、前記第１密閉突輪の上部表面全体に空気循環面を形成することで、内容器蓋を閉じる時に内容器内部で圧縮された空気が前記空気循環面全体に均等に配分されて抜け出るようになり、内容器蓋を開く時に外部空気が前記空気循環面全体を通じて流入して前記内容器蓋が滑らかに開閉されることは勿論、内容器の内部空気が圧縮されながら内容器蓋が持ち上げられることを防止して密閉力を向上させた空気循環面が備えられた化粧品容器を提供することに目的がある。
【課題を解決するための手段】
【００１８】
本発明は、内部に内容物が収容される内容器と前記内容器を密閉する密閉突輪が形成された内容器蓋からなる化粧品容器において、
前記内容器に第１密閉突起が形成され、前記内容器蓋の密閉突輪に第２密閉突起が形成され、
前記内容器の第１密閉突起または内容器蓋の第２密閉突起に微細な突起と溝からなる空気循環面が形成されて内容器蓋の閉鎖時に内容器内に圧縮された空気が前記空気循環面全体に均等に配分されながら抜け出て、
内容器蓋の開放時に外部空気が前記空気循環面全体を通じて内容器に流入することを特徴とする空気循環面が備えられた化粧品容器を提供する。
【００１９】
また、前記内容器は内壁と外壁が形成され、前記外壁の上部内周縁に第１密閉突起が形成され、前記第１密閉突起の上部内側の表面全体に空気循環面が形成されることを特徴とする。
【００２０】
また、前記内容器の第１密閉突起上部内周縁には第１斜線面が形成されて前記第１斜線面に空気循環面が形成されることを特徴とする。
【００２１】
また、前記内容器蓋の第２密閉突起下部外周縁には第２斜線面が形成されて前記第２斜線面に空気循環面が形成されることを特徴とする。
【００２２】
また、前記内容器蓋の開閉時に内容器蓋の第２密閉突起が内容器に形成された空気循環面に点接触しながら第１密閉突起を乗り越えることを特徴とする。
【００２３】
また、前記空気循環面は化学薬品によって鋳型空間の一部が腐蝕した金型を通じて射出成形されるか、鋳型空間の一部がサンディング（ｓａｎｄｉｎｇ）処理された金型を通じて射出成形されることを特徴とする。
【発明の効果】
【００２４】
本発明に係る空気循環面が備えられた化粧品容器は、内部に内容物が収容される内容器と前記内容器を密閉する密閉突輪が形成された内容器蓋からなる化粧品容器において、前記内容器に第１密閉突起を内側に突出形成し、内容器蓋の密閉突輪に第２密閉突起を外側に突出形成し、前記第１密閉突起にサンディング（ｓａｎｄｉｎｇ）したように多数の微細な突起と溝からなる空気循環面を形成することで、内容器蓋の開閉時に内容器蓋の第２密閉突起が内容器の空気循環面に接触しながら第１密閉突起を乗り越えるようになって内容器蓋の開閉感度が向上する効果がある。
【００２５】
また、本発明に係る空気循環面が備えられた化粧品容器は、内容器の外壁上部内周縁に第１密閉突輪を形成し、前記第１密閉突輪の上部表面全体に空気循環面を形成することで、内容器蓋を閉じる時に内容器内部で圧縮された空気が前記空気循環面全体に均等に配分されて抜け出るようになり、内容器蓋を開く時に外部空気が前記空気循環面全体を通じて流入して前記内容器蓋が滑らかに開閉されることは勿論、内容器の内部空気が圧縮されながら内容器蓋が持ち上げられることを防止して密閉力を向上させる効果がある。
【図面の簡単な説明】
【００２６】
【図１】図１は従来のリフィル容器の空気排出構造を有する化粧品ケースである。
【図２】図２は従来の気密化粧品容器である。
【図３】図３は本発明の一実施例に係る化粧品容器の斜視図である。
【図４】図４は本発明の一実施例に係る化粧品容器の分解斜視図である。
【図５】図５は本発明の一実施例に係る化粧品容器の断面図である。
【図６】図６は本発明の一実施例に係る化粧品容器の部分斜視図である。
【図７】図７は本発明の一実施例に係る化粧品容器の内容器蓋を開放した状態を示す断面図である。
【図８】図８は本発明の一実施例に係る化粧品容器に収容された内容物をパフでとる状態を示す断面図である。
【図９】図９は本発明の一実施例に係る化粧品容器の内容器蓋を閉じる状態を示す断面図である。
【発明を実施するための形態】
【００２７】
本発明と本発明の実施によって達成される技術的課題は、次で説明する好ましい実施例によって明確になる。以下、本発明の一実施例に係る空気循環面が備えられた化粧品容器を添付の図面を参照して詳細に考察すると次の通りである。
【００２８】
図３は本発明の一実施例に係る化粧品容器の斜視図であり、図４は本発明の一実施例に係る化粧品容器の分解斜視図であり、図５は本発明の一実施例に係る化粧品容器の断面図であり、図６は本発明の一実施例に係る化粧品容器の部分斜視図であり、図７は本発明の一実施例に係る化粧品容器の内容器蓋を開放した状態を示す断面図であり、図８は本発明の一実施例に係る化粧品容器に収容された内容物をパフでとる状態を示す断面図であり、図９は本発明の一実施例に係る化粧品容器の内容器蓋を閉じる状態を示す断面図である。
【００２９】
本発明の一実施例に係る空気循環面が備えられた化粧品容器は、内部に内容物が収容される内容器１０と前記内容器１０を密閉する密閉突輪２２が形成された内容器蓋２０からなる化粧品容器において、前記内容器１０に第１密閉突起１４が形成され、前記内容器蓋２０の密閉突輪２２に第２密閉突起２４が形成され、前記内容器１０の第１密閉突起１４または内容器蓋２０の第２密閉突起２４に微細な突起と溝からなる空気循環面３０が形成されて内容器蓋２０の閉鎖時に内容器１０内に圧縮された空気が前記空気循環面３０全体に均等に配分されながら抜け出て、内容器蓋２０の開放時に外部空気が前記空気循環面３０全体を通じて内容器１０に流入する。
【００３０】
前記内容器１０の内部には化粧料が充填されるか、または化粧料が含浸された含浸部材６０が内蔵される。
【００３１】
前記内容器１０は、図４のように、底面１１と前記底面１１から上部に延長形成された内壁１２及び前記内壁１２外側に一定の間隔にて離隔されて上部に延長形成された外壁１３からなる。
【００３２】
前記内容器１０の内壁１２には含浸部材６０が離脱することを防止する固定具７０が結合される。
【００３３】
前記固定具７０は、内壁１２の外周縁に結合される結合部７２と前記結合部７２内側に延長形成されて内容器１０に内蔵された含浸部材６０の離脱を防止する水平延長部７４で構成される。
【００３４】
前記外壁１３の一側には第１ヒンジブラケット１３７が形成され、ヒンジピン８０によって内容器蓋２０の第２ヒンジブラケット２７とヒンジ結合される。
【００３５】
前記外壁１３の上部内周縁には図５の部分拡大図のように、第１密閉突起１４が内側に突出形成され、前記第１密閉突起１４上部の内周縁には上側に行くほど内容器１０の外側に向かって傾いた第１斜線面１４ａが形成される。
【００３６】
前記第１密閉突起１４の上部内側表面には空気循環面３０が形成される。
【００３７】
前記内容器蓋２０は内容器１０の一側に形成されて前記内容器１０を開閉する。
【００３８】
前記内容器蓋２０の上部にはパフのような化粧道具を保管することができる化粧道具収容溝２３が形成され、内容器蓋２０の一側には使用者が容易に内容器蓋２０を開閉することができるように蓋取っ手２５が外側に突出形成される。また、前記蓋取っ手２５の対向側には第２ヒンジブラケット２７が形成されて内容器１０の第１ヒンジブラケット１３７とヒンジピン８０によってヒンジ結合される。
【００３９】
前記内容器蓋２０の下部には図５のように、リング形態の密閉突輪２２が下側に突出形成される。
【００４０】
前記密閉突輪２２の外周縁には図５の部分拡大図のように、第２密閉突起２４が外側に突出形成され、前記第２密閉突起２４の下部外周縁には下側に行くほど内容器蓋２０の中心に向かって傾いた第２斜線面２４ａが形成される。
【００４１】
本発明の図面では、空気循環面３０が内容器１０の外壁１３内周縁に形成されたことを示しているが、前記空気循環面３０は内容器蓋２０の密閉突輪２２下部外側表面に形成される場合もある。
【００４２】
前記内容器１０及び内容器蓋２０は、図４のように、容器本体４０の内側に結合される。
【００４３】
前記容器本体４０の一側には容器蓋５０がヒンジ結合されて前記容器本体４０を開閉する。
【００４４】
前記容器本体４０の前面にはボタン４２が形成され、前記ボタン４２の上側には係止突起４２２が突出形成される。
【００４５】
前記容器蓋５０の前面には突起形状のフック５２が形成され、前記ボタン４２の係止突起４２２と締結される。
【００４６】
前記容器蓋５０の内側には使用者が容易に化粧を施すことができるように鏡５４を備える場合がある。
【００４７】
前記空気循環面３０は、内容器１０の第１斜線面１４ａまたは内容器蓋２０の第２斜線面２４ａに形成されて内容器蓋２０の開閉時に空気が外部に抜け出るか、内部に流入するようにする。
【００４８】
本発明の図面では、空気循環面３０が内容器１０の第１斜線面１４ａに形成されたことを示しており、これを基に本発明に係る化粧品容器の空気循環面３０を説明する。
【００４９】
前記空気循環面３０は、図６の部分拡大図のように、内容器１０の外壁１３の上部内周縁に形成された第１密閉突起１４の第１斜線面１４ａに形成され、微細な突起と溝からなる。
【００５０】
即ち、本発明に係る化粧品容器は従来の化粧品容器と異なり、内容器１０の第１密閉突起１４の第１斜線面１４ａに空気循環面３０を形成して内容器蓋２０の開閉時に内容器蓋２０が空気循環面３０の微細な突起と点接触しながら前記空気循環面３０全体に空気が循環されるようにすることで、内容器蓋２０が圧縮された空気によって持ち上げられないようにして密閉力を増大させることは勿論、内容器蓋２０の開閉感度をより向上させる。
【００５１】
図７のように、内容器蓋２０を開けると前記内容器蓋２０の密閉突輪２２に形成された第２密閉突起２４が内容器１０の外壁１３に形成された第１密閉突起１４を乗り越えるようになるが、この時、前記第２密閉突起２４の第２斜線面２４ａが第１密閉突起１４の第１斜線面１４ａに形成された空気循環面３０に接触して前記空気循環面３０の微細な突起間に外部空気が内容器１０全体に均等に流入する。
【００５２】
これと同様に、図９のように、内容器蓋２０を閉じると前記内容器蓋２０の密閉突輪２２に形成された第２密閉突起２４が内容器１０の外壁１３に形成された第１密閉突起１４を乗り越えるようになるが、この時、前記第２密閉突起２４の第２斜線面２４ａが第１密閉突起１４の第１斜線面１４ａに形成された空気循環面３０に接触して前記空気循環面３０の微細な突起間に内容器１０内部に圧縮された空気が均等に配分されて外部に抜け出るようになる。
【００５３】
前記空気循環面３０は化学薬品によって鋳型空間の一部が腐蝕した金型を通じて射出成形されるか、鋳型空間の一部がサンディング（ｓａｎｄｉｎｇ）処理された金型を通じて射出成形される。
【００５４】
即ち、本発明に係る化粧品容器の内容器１０は、内部に鋳型空間を有する金型によって射出成形されるが、前記金型の鋳型空間中、内容器１０の第１斜線面１４ａと対応する位置に化学薬品処理をして腐蝕（金属がその表面で化学的または電気的に酸化または変質すること）させるか、サンディング（ｓａｎｄｉｎｇ）処理をすることで、前記金型の鋳型空間に溶融樹脂を注入して内容器１０を射出成形すると同時に、内容器１０の第１斜線面１４ａに微細な突起と溝からなる空気循環面３０が形成されるようにした。
【００５５】
上記のように構成された空気循環面が備えられた化粧品容器の組立方法を添付の図面を参照して説明すると次の通りである。
【００５６】
本発明の一実施例に係る空気循環面が備えられた化粧品容器を組み立てるために、まず図４と図５のように、内容器１０の内側に化粧料が含浸された含浸部材６０を挿入するか直接化粧料を充填し、前記内容器１０の内壁１２に固定具７０を結合する。
【００５７】
この時、前記内容器１０の外壁１３の上部内周縁には第１密閉突起１４が形成され、前記第１密閉突起１４の第１斜線面１４ａ全体には空気循環面３０が形成された状態である。
【００５８】
前記内容器１０に空気循環面３０が形成される過程をより詳細に考察すると、内容器１０が射出成形される金型の鋳型空間中、内容器１０の第１斜線面１４ａと対応する位置に化学薬品処理をして腐蝕（金属がその表面で化学的または電気的に酸化または変質すること）させるか、サンディング（ｓａｎｄｉｎｇ）処理をすることによって、前記金型によって内容器１０が射出成形されると同時に、前記内容器１０の第１斜線面１４ａに微細な突起と溝からなる空気循環面３０が形成される。
【００５９】
次に、前記内容器１０の一側に内容器蓋２０をヒンジ結合し、前記内容器１０の第１ヒンジブラケット１３７と内容器蓋２０の第２ヒンジブラケット２７をヒンジピン８０でヒンジ結合する。
【００６０】
その後、上記のように結合された内容器１０と内容器蓋２０を一側に容器蓋５０がヒンジ結合された容器本体４０の内側に結合して本発明の一実施例に係る
最後に、前記内容器蓋２０と外容器蓋６０を閉じて本発明の一実施例に係る空気循環面が備えられた化粧品容器の組立を完了する。
【００６１】
上記のように組み立てられた空気循環面が備えられた化粧品容器の使用方法を添付の図面を参照して説明すると次の通りである。
【００６２】
本発明の一実施例に係る空気循環面が備えられた化粧品容器を使用するためには、まず容器本体４０から容器蓋５０を開放し、図７のように、内容器１０から内容器蓋２０を開放する。
【００６３】
上記のように、内容器蓋２０を開くと前記内容器蓋２０の密閉突輪２２に形成された第２密閉突起２４が内容器１０の外壁１３に形成された第１密閉突起１４を乗り越えるようになるが、この時、前記第２密閉突起２４の第２斜線面２４ａが第１密閉突起１４の第１斜線面１４ａに形成された空気循環面３０に接触して前記空気循環面３０の微細な突起間に外部空気が内容器１０全体に均等に流入する。
【００６４】
その後、図８のように、パフＰで内容器１０に内蔵された含浸部材６０または内部に収容された化粧料を押し当て肌に塗って化粧を施す。
【００６５】
化粧が終わった後には、図５のように、内容器蓋２０を閉じて内容器１０を密閉させる。
【００６６】
上記のように、内容器蓋２０を閉じると、図９のように、前記内容器蓋２０の密閉突輪２２に形成された第２密閉突起２４が内容器１０の外壁１３に形成された第１密閉突起１４を乗り越えるようになるが、この時、前記第２密閉突起２４の第２斜線面２４ａが第１密閉突起１４の第１斜線面１４ａに形成された空気循環面３０に接触して前記空気循環面３０の微細な突起間に内容器１０内部に圧縮された空気が均等に配分されて外部に抜け出るようになる。
【００６７】
最後に、容器蓋５０を閉じて本発明の一実施例に係る空気循環面が備えられた化粧品容器の使用を完了する。
【００６８】
以上、本発明で説明したことは空気循環面が備えられた化粧品容器を実施するための一つの実施例に過ぎず、本発明は前記実施例に限定されるものではない。添付の請求の範囲で請求するように本発明の要旨を逸脱せずに当該発明が属する分野で通常の知識を有する者であれば誰でも多様な変更実施が可能な範囲まで本発明の範囲に属するものとみなさなければならない。
【符号の説明】
【００６９】
１０  内容器
１２  内壁
１３  外壁
１４  第１密閉突起
１４ａ  第１斜線面
２０  内容器蓋
２２  密閉突輪
２４  第２密閉突起
２４ａ  第２斜線面
３０  空気循環面
４０  容器本体
５０  容器蓋
６０  含浸部材
７０  固定具
８０  ヒンジピン
Ｐ  パフ
【図１】
2020521614.tif 000003
【図２】
2020521614.tif 000004
【図３】
2020521614.tif 000005
【図４】
2020521614.tif 000006
【図５】
2020521614.tif 000007
【図６】
2020521614.tif 000008
【図７】
2020521614.tif 000009
【図８】
2020521614.tif 000010
【図９】
2020521614.tif 000011
【国際調査報告】
2020521614.tif 000012
2020521614.tif 000013
2020521614.tif 000014
2020521614.tif 000015